(57)【要約】【課題】  情報処理装置の内部状態について、外部機器を接続せずに確認をする情報処理端末および情報処理システムを提供する。【解決手段】  情報処理端末は、情報処理装置と無線接続され、前記情報処理装置の状態に基づく信号を無線で受信する受信部と、前記情報処理装置が監視対象か否かが予め登録されており、前記受信部で受信した信号から前記情報処理装置の識別情報を識別して、前記情報処理装置が監視対象の判定を行う制御部と、前記制御部にて監視対象とされた前記情報処理装置の状態を表示する表示部と、前記情報処理装置を操作するための情報を入力する入力部と、前記入力部の入力に基づく信号に前記情報処理装置の識別情報を付与して前記情報処理装置に無線で送信する送信部と、を具備している。【選択図】図１
2018142117.tif 000002
【特許請求の範囲】
【請求項１】
情報処理装置と無線接続され、前記情報処理装置の内部状態に基づく監視情報を無線で
受信する受信部と、
前記情報処理装置が監視対象か否かが予め登録されており、前記受信部で受信した信号
から前記情報処理装置の識別情報を識別して、前記情報処理装置が監視対象であるか否か
の判定を行う制御部と、
前記制御部にて監視対象であると判定された前記情報処理装置の状態を表示する表示部
と、
前記表示部に表示された内容に基づいて、前記情報処理装置を操作するための情報を入
力する入力部と、
前記入力部の入力に基づく信号に前記情報処理装置の識別情報を付与して前記情報処理
装置に無線で送信する送信部と、
を具備する情報処理端末。
【請求項２】
前記制御部は、前記受信部が受信した信号から前記情報処理装置が異常状態にあると判
定し、前記表示部に判定結果を表示させる、
請求項１に記載の情報処理端末。
【請求項３】
前記制御部は、前記情報処理装置の異常状態に基づいてその異常に対する対処内容を前
記表示部に複数表示させ、
前記入力部は、前記表示部に表示された異常に対する対処内容を選択入力し、
前記送信部は、前記入力部で入力された対処内容を前記情報処理装置に無線送信する、
請求項２に記載の情報処理端末。
【請求項４】
前記制御部は、監視対象である前記情報処理装置を予め複数登録することが可能であり
、
前記表示部は、前記情報処理装置の状態を情報処理装置毎に表示させる、
請求項１乃至請求項３のいずれか一項に記載の情報処理端末。
【請求項５】
前記制御部は、監視対象である前記情報処理装置の少なくとも１つに異常が発生した場
合、前記表示部に異常が発生した情報処理装置の識別情報と異常状態とを表示する、
請求項４に記載の情報処理端末。
【請求項６】
情報処理装置と、前記情報処理装置と無線接続された情報処理端末とを有し、
前記情報処理装置は、
自装置の内部状態を監視し、監視結果に基づく監視情報を無線にて前記情報処理端末に
送信する送信部を有し、
前記情報処理端末は、
前記情報処理装置から送信された監視結果に基づく信号を受信する受信部と、
前記情報処理装置が監視対象か否かが予め登録されており、前記受信部で受信した信号
から前記情報処理装置の識別情報を識別して、前記情報処理装置が監視対象であるか否か
の判定を行う制御部と、
前記制御部にて監視対象であると判定された前記情報処理装置の状態を表示する表示部
と、
前記表示部に表示された内容に基づいて、前記情報処理装置を操作するための情報を入
力する入力部と、
前記入力部の入力に基づく信号に前記情報処理装置の識別情報を付与して前記情報処理
装置に無線で送信する送信部と、を有し、
前記情報処理装置は、前記情報処理端末から送信された情報を受信し、前記識別情報を
判別し、自装置の有する識別情報と整合がとれた場合に前記情報処理端末から送信された
情報を処理する処理部をさらに有する、
情報処理システム。
【発明の詳細な説明】
【技術分野】
【０００１】
本発明の実施形態は、情報処理端末および情報処理システムに関する。
【背景技術】
【０００２】
従来、産業用コンピュータはキーボードおよびマウスなどの入力機器を用いて制御を行
い、出力結果をディスプレイ装置などにより確認をしていた。
【０００３】
しかし、キーボードおよびマウスによる入力、ディスプレイ装置による出力の確認を行
う場合、ケーブル長により操作範囲が産業用コンピュータ近傍に限られる。更に入力機器
の管理、ディスプレイ装置の置き場所の確保をしなければならないという問題がある。
【先行技術文献】
【特許文献】
【０００４】
【特許文献１】国際公開第２０１６/１７０６０３号
【発明の概要】
【発明が解決しようとする課題】
【０００５】
本発明が解決しようとする課題は、情報処理装置の内部状態について、ケーブルを用い
て外部機器を接続せずに確認をすることができる情報処理端末および情報処理システムを
提供する。
【課題を解決するための手段】
【０００６】
上記課題を解決するため、実施形態の情報処理端末は、情報処理装置と無線接続され、
前記情報処理装置の内部状態に基づく監視情報を無線で受信する受信部と、前記情報処理
装置が監視対象か否かが予め登録されており、前記受信部で受信した信号から前記情報処
理装置の識別情報を識別して、前記情報処理装置が監視対象であるか否かの判定を行う制
御部と、前記制御部にて監視対象であると判定された前記情報処理装置の状態を表示する
表示部と、前記表示部に表示された内容に基づいて、前記情報処理装置を操作するための
情報を入力する入力部と、前記入力部の入力に基づく信号に前記情報処理装置の識別情報
を付与して前記情報処理装置に無線で送信する送信部と、を具備している。
【０００７】
上記課題を解決するため、実施形態の情報処理システムは、情報処理装置と、前記情報
処理装置と無線接続された情報処理端末とを有し、前記情報処理装置は、自装置の内部状
態を監視し、監視結果に基づく監視情報を無線にて前記情報処理端末に送信する送信部を
有し、前記情報処理端末は、前記情報処理装置から送信された監視結果に基づく信号を受
信する受信部と、前記情報処理装置が監視対象か否かが予め登録されており、前記受信部
で受信した信号から前記情報処理装置の識別情報を識別して、前記情報処理装置が監視対
象であるか否かの判定を行う制御部と、前記制御部にて監視対象であると判定された前記
情報処理装置の状態を表示する表示部と、前記表示部に表示された内容に基づいて、前記
情報処理装置を操作するための情報を入力する入力部と、前記入力部の入力に基づく信号
に前記情報処理装置の識別情報を付与して前記情報処理装置に無線で送信する送信部と、
を有し、前記情報処理装置は、前記情報処理端末から送信された情報を受信し、前記識別
情報を判別し、自装置の有する識別情報と整合がとれた場合に前記情報処理端末から送信
された情報を処理する処理部をさらに有している。
【図面の簡単な説明】
【０００８】
【図１】第１の実施形態の情報処理システムの概要。
【図２】第１の実施形態における情報処理端装置および情報処理端末の構成図。
【図３】第１の実施形態における情報処理システムの処理の流れ図。
【図４】第１の実施形態における情報処理装置と情報処理端末との情報の送受信を表す流れ図。
【図５】第２の実施形態における情報処理システムの処理の流れ図。
【図６】第２の実施形態における使用者による入力の例示図。
【図７】第２の実施形態における情報処理装置と情報処理端末との情報の送受信を表す流れ図。
【図８】第２の実施形態の変形例における情報処理システムの処理の流れ図。
【図９】第２の実施形態の情報処理装置の使用例と情報処理端末の表示部の表示例。
【図１０】第３の実施形態における情報処理端装置および情報処理端末の構成図。
【図１１】第３の実施形態の情報処理端末の表示部の表示例。
【発明を実施するための形態】
【０００９】
以下、情報処理システムの実施形態を図面に基づき説明する。
【００１０】
（第１の実施形態）
図１は第１の実施形態の情報処理システムの概要である。情報処理システム１００は、
情報処理装置１０と情報処理端末６０とが無線通信により接続されている。情報処理装置
１０は一例として、サーバや産業用コンピュータなどがある。情報処理端末６０は一例と
して、タブレットＰＣ、ノートパソコン、スマートフォン等がある。
【００１１】
情報処理端末６０は表示部７０を有し、表示部７０には入出力インターフェース８０が
表示される。表示部７０および入出力インターフェース８０は、通常、情報処理端末１０
に接続される外部機器９０（図１の点線部）のモニタ９１とキーボード９２とマウス９３
と同等の機能を有する。即ち、情報処理端末６０は外部機器９０の機能を代替するもので
、情報処理装置１０に外部機器９０を接続しなくとも、情報処理端末６０にて情報処理装
置１０の制御が可能である。
【００１２】
なお、情報処理装置１０に外部機器９０を接続してもよいが、この外部機器９０を利用
しないで情報処理装置１０を制御できるものである。
【００１３】
図２は第１の実施形態における情報処理装置１０および情報処理端末６０の構成図であ
る。
【００１４】
情報処理装置１０は、受信部１１と送信部１２と処理部１３とを有している。
【００１５】
受信部１１は情報処理端末６０にて入力された情報を無線通信により受信する回路であ
る。送信部１２は情報処理装置１０内の状態を監視し、内部状態に異常が検出されたとき
、その異常に関する情報を、無線通信にて、情報処理端末６０に送信する回路である。
【００１６】
処理部１３は情報処理装置１０を制御する回路であり、例えば中央演算処理装置（ＣＰ
Ｕ）等である。処理部１３は自装置である、情報処理装置１０の状態を監視しており、内
部状態に基づく監視情報を作成する回路である。
【００１７】
内部状態に基づく監視情報とは一例として、情報処理装置１０のＣＰＵの使用率、メモ
リの使用率、ハードディスクドライブ（ＨＤＤ）の使用状況、内部の温度情報等がある。
ただし、内部状態に基づく監視情報はこれらに限定はされない。
【００１８】
情報処理端末６０は、受信部６１と送信部６２と入力部６３と制御部６４と表示部７０
とを有している。
【００１９】
受信部６１は情報処理装置１０についての監視結果に基づく信号を受信する回路である
。送信部６２は情報処理端末６０から情報処理装置１０へ情報を無線通信にて送信するた
めの回路である。入力部６３は情報処理装置１０を操作するための情報を入力するための
機構である。例えば、入力部６３は図１のキーボード９２、マウス９３に対応する機能を
有し、タッチパネル等の入出力インターフェース８０により入力される。
【００２０】
制御部６４には情報処理装置１０が監視対象か否かが予め登録されており、受信部６１
で受信した信号から識別情報を識別し、情報処理装置１０が監視対象か否かの判定を行う
回路である。
【００２１】
表示部７０は制御部６４にて監視対象とされた情報処理装置１０の状態を表示する機構
であり、図１の外部機器９０のモニタ９１に対応する機能を有している。
【００２２】
図３は本実施形態の情報処理システム１００における情報処理装置１０を、情報処理端
末６０の監視対象として登録する際の、情報処理装置１０と情報処理端末６０との処理の
流れ図である。
【００２３】
情報処理端末６０から情報処理装置１０に接続をするための接続信号を送信する（ステ
ップＳ１００）。情報処理装置１０は情報処理端末６０が接続を許可されている端末とし
て端末情報が登録されているか否かを判定する（ステップＳ１０１）。
【００２４】
以下の表１は情報処理装置１０に登録されている情報処理端末６０の端末情報について
のテーブルの一例である。端末情報とは一例として、情報処理端末６０の端末ＩＤ番号、
シリアル番号、ＩＰアドレスなどがある。ただし、端末情報についてのテーブルは表１に
挙げた項目に限定をされない。
【表１】
2018142117.tif 000003
端末情報がテーブルに登録されていない場合（ステップＳ１０１のＮＯ）、情報処理装
置１０は自装置と情報処理端末６０との接続が許可されているか判定をする（ステップＳ
１０２）。接続が許可されていない場合（ステップＳ１０２のＮＯ）、処理を終了する。
接続が許可されている場合（ステップＳ１０２のＹＥＳ、表１の０：許可）、情報処理装
置１０が有する、端末情報についてのテーブルに情報処理端末６０の情報を登録し（ステ
ップＳ１０３）、端末情報が登録されているか否かを再度判定する（ステップＳ１０１）
。
【００２５】
端末情報がテーブルに登録がされている場合（ステップＳ１０１のＹＥＳ）、情報処理
装置１０は情報処理端末６０に自装置の識別情報を付与した信号を送信する（ステップＳ
１０４）。情報処理端末６０は情報処理装置１０が接続を許可されている端末として端末
情報が登録されているか否かを判定する（ステップＳ１０５）。
【００２６】
以下の表２は制御部６４に登録されている監視対象の識別情報についてのテーブルの一
例である。識別情報の一例として、情報処理装置１０の機器ＩＤ番号、シリアル番号、Ｉ
Ｐアドレスなどがある。識別情報がテーブルに登録されており、接続が許可されている場
合（０：許可）、情報処理装置１０が監視対象と判定する。ただし、監視対象の識別情報
についてのテーブルは表２に挙げた項目に限定をされない。
【表２】
2018142117.tif 000004
識別情報がテーブルに登録されていない場合（ステップＳ１０５のＮＯ）、情報処理端
末６０は自装置と情報処理装置１０との接続が許可されているか判定をする（ステップＳ
１０６）。接続が許可されていない場合（ステップＳ１０６のＮＯ）、処理を終了する。
接続が許可されている場合（ステップＳ１０６のＹＥＳ、表２の０：許可）、情報処理端
末６０が有する、監視対象の識別情報についてのテーブルに情報処理装置１０の情報を登
録し（ステップＳ１０７）、識別情報が登録されているか否かを再度判定する（ステップ
Ｓ１０５）。
【００２７】
識別情報がテーブルに登録がされている場合（ステップＳ１０５のＹＥＳ）、情報処理
端末６０と情報処理装置１０とを接続する（ステップＳ１０８）。
【００２８】
情報処理装置１０と情報処理端末６０との接続許可の判定（ステップＳ１０６）は例え
ば、情報処理装置１０との接続に必要なパスワードの入力を情報処理端末６０に促す等の
方法がある。
【００２９】
図４は本実施形態の情報処理システム１００における情報処理装置１０と情報処理端末
６０との情報の送受信を表す流れ図である。即ち、情報処理端末６０と情報処理装置１０
とが接続され（図３のステップＳ１０８）、情報処理端末６０による情報処理装置１０の
状態を監視する流れ図となる。図４の左列が情報処理装置１０のフローであり、右列が情
報処理端末６０のフローである。
【００３０】
使用者は情報処理装置１０の状態を確認するために、情報処理端末６０の入力部６３を
操作し、入力信号を作成する（ステップＳ１１０）。制御部６４は入力信号に情報処理装
置１０が固有に有する端末情報（機器ＩＤ番号、シリアル番号、ＩＰアドレス等）を付与
する（ステップＳ１１１）。情報処理端末６０は端末情報が付与された入力信号を送信部
６２から情報処理装置１０へ送信する（ステップＳ１１２）。
【００３１】
情報処理装置１０は、情報処理端末６０から送信された入力信号を受信部１１にて受信
し（ステップＳ１２０）、端末情報および送信元の端末を判定する（ステップＳ１２１）
。入力信号に付与された端末情報と自装置が有する端末情報との整合がとれた場合に、情
報処理端末６０から送信された入力信号の処理内容（監視内容）を判定し（ステップＳ１
２２）、処理内容を実行する（ステップＳ１２３）。処理した結果、内部状態に基づく監
視情報に情報処理装置１０の識別情報（機器ＩＤ番号、シリアル番号、ＩＰアドレス等を
付与して、送信部１２から、情報処理端末６０に無線にて送信する（ステップＳ１２４）
。
【００３２】
情報処理端末６０は情報処理装置１０から内部状態に基づく監視情報を受信すると（ス
テップＳ１１３）、当該情報から識別情報の判定を行い（ステップＳ１１４）、当該情報
から内部状態に基づく監視情報を表示部７０に表示する（ステップＳ１１５）。
【００３３】
以上の情報処理システム１００は、情報処理端末６０により、情報処理装置１０の内部
状態について、情報処理端末６０にて確認をすることが可能となる。
【００３４】
（第２の実施形態）
第２の実施形態における情報処理装置１０および情報処理端末６０からなる情報処理シ
ステム１０１の概要図は図１と同様である。また、第２の実施形態における情報処理装置
１０および情報処理端末６０の構成図は図２と同様である。
【００３５】
図５（ａ）は本実施形態の情報処理システム１０１における情報処理装置１０と情報処
理端末６０との処理の流れ図である。
【００３６】
情報処理装置１０は自装置の内部状態を監視する（ステップＳ２００）。監視の結果、
異常が検出されない場合（ステップＳ２０１のＮＯ）は自装置の内部状態の監視を継続す
る（ステップＳ２００）。監視の結果、異常が検出された場合（ステップＳ２０１のＹＥ
Ｓ）は、情報処理端末６０に監視結果に基づく監視情報を送信する（ステップＳ２０２）
。
【００３７】
情報処理端末６０は監視情報を受信し（ステップＳ２０３）、表示部７０にて情報処理
装置の監視結果を表示する（ステップＳ２０４）。
【００３８】
使用者は表示部７０にて表示された情報処理装置１０の状態から対策となる情報処理装
置１０を操作するための情報を入力し（ステップＳ２０５）、情報処理端末６０の送信部
６２より入力信号に情報処理装置１０の識別情報を付与して情報処理装置１０に入力情報
を送信する（ステップＳ２０６）。
【００３９】
なお、図５（ｂ）のように情報処理装置１０が情報処理端末６０に監視結果に基づく監
視結果を送信した後（ステップＳ２０２）、情報処理端末６０が監視結果を受信したか否
かを判定し（ステップＳ２０３’）、受信している場合（ステップＳ２０３’のＹＥＳ）
は、情報処理端末６０の表示部にて情報処理装置１０の状態を表示する（ステップＳ２０
４）としても良い。この場合、受信していない場合（ステップＳ２０３’のＮＯ）は、情
報処理装置１０は再度情報処理装置１０の状態を送信する。
【００４０】
情報処理端末６０が情報処理装置１０の状態を受信したか否かの判定（ステップＳ２０
３’）は例えば、情報処理端末６０が情報処理装置１０の状態を受信した場合、情報処理
端末６０は受信した旨の信号を情報処理装置１０に送信し、情報処理装置１０が当該信号
を受信すれば、情報処理装置１０の状態を受信したと判定する。
【００４１】
図６は使用者による対策の入力（ステップＳ２０５）の例である。表示部７０にて情報
処理装置１０の状態が表示され（図５のステップＳ２０４）、情報処理端末６０の制御部
６４は情報処理装置１０の状態から異常に対する対処内容を複数表示する。
【００４２】
異常とは例えば、情報処理装置１０内部の温度が予め定められた所定の温度よりも高い
場合（ステップＳ２０５１の異常１）、情報処理装置１０内のＨＤＤへのアクセス不良（
ステップＳ２０５３の異常２）、ソフトウェアのバグによる処理の停止（ステップＳ２０
５５の異常ｎ）などがある。ただし、異常はこれらに限定はされない。
【００４３】
情報処理端末６０の制御部６４は監視結果から、情報処理装置１０の異常状態が異常１
か否かを判定し（ステップＳ２０５１）、異常１に該当する場合（ステップＳ２０５１の
ＹＥＳ）、対策１を提示する。
【００４４】
対策１は例えば、異常１が情報処理装置１０内部の温度が予め定められた所定の温度よ
りも高い場合、１．情報処理装置１０内に存する冷却用ファン（図示せず）の回転数を上
げる、２．必要のないプログラムを終了させる、３．情報処理装置１０の再起動を行う、
などの対策手段がある。情報処理端末６０はこれらの対処内容を、使用者が選択できるよ
う表示部７０に表示する。使用者は対策１から対処内容を選択して入力する（ステップＳ
２０５２）。
【００４５】
情報処理端末６０は異常状態が異常１でない場合（ステップＳ２０５１のＮＯ）、異常
状態が異常２か否かを判定する（ステップＳ２０５３）。異常状態が異常２であれば（ス
テップＳ２０５３のＹＥＳ）、対策２を提示し、使用者は対策２を入力する（ステップＳ
２０５４）。
【００４６】
異常２の判定（ステップＳ２０５３）は異常１の判定（ステップＳ２０５１）同様であ
る。対策２の入力（ステップＳ２０５４）は対策１の入力（ステップＳ２０５２）と同様
である。
【００４７】
異常判定を繰り返し、異常ｎの判定（ステップＳ２０５５）を行う。ｎは１以上の自然
数とする。異常状態が異常ｎであれば（ステップＳ２０５５のＹＥＳ）、対策ｎを提示し
、使用者は対策ｎの対処内容を入力する（ステップＳ２０５６）。
【００４８】
情報処理端末６０は異常状態が異常ｎでない場合（ステップＳ２０５５のＮＯ）、使用
者に対処内容の入力を促し、使用者は対策ｎ＋１の対処内容を入力する（ステップＳ２０
５７）。
【００４９】
対策１から対策ｎ＋１のいずれかにて入力された情報は、送信部６２から情報処理装置
１０へ送信される（図５のステップＳ２０６）。
【００５０】
なお、使用者により対策ｎ＋１がとられた場合は、情報処理装置１０は異常状態と対策
ｎ＋１とをログ情報として、情報処理装置１０の記憶部（図示せず）に記憶させても良い
。そして、再度同様の異常状態が発生した場合、ログ情報より対策ｎ＋１を使用者に提示
しても良い。
【００５１】
図７は本実施形態の情報処理システム１０１における情報処理装置１０と情報処理端末
６０との情報の送受信を表す流れ図である。図７の左列が情報処理装置１０のフローであ
り、右列が情報処理端末６０のフローである。
【００５２】
情報処理装置１０は自装置の内部状態を監視し（ステップＳ２１０）、異常を検知した
場合（ステップＳ２１１）、内部状態に基づく監視結果に基づく監視情報に情報処理装置
１０の識別情報（機器ＩＤ番号、シリアル番号、ＩＰアドレス等）を付与する（ステップ
Ｓ２１２）。情報処理装置１０は識別情報が付与された内部状態に基づく監視結果に基づ
く監視情報を送信部１２から情報処理端末６０へ送信する（ステップＳ２１３）。
【００５３】
情報処理端末６０は、情報処理装置１０から内部状態に基づく監視情報を受信部６１に
て受信し（ステップＳ２２０）、識別情報および送信元の情報処理装置を判別する（ステ
ップＳ２２１）。内部状態に基づく監視情報に付与された識別情報と情報処理端末６０が
有する識別情報との整合がとれた場合、情報処理装置１０から送信された内部状態に基づ
く監視情報（監視結果）を表示部７０にて表示する（ステップＳ２２２）。
【００５４】
使用者は情報処理装置１０の監視結果から異常に対応する入力信号を情報処理端末６０
の入力部６３を操作し、入力信号を作成することができる（ステップＳ２２３）。入力信
号が作成されると、制御部６４は入力信号に情報処理端末６０が固有に有する端末情報（
端末ＩＤ番号、シリアル番号、ＩＰアドレス等）を付与する（ステップＳ２２４）。情報
処理端末６０は端末情報が付与された入力信号を送信部６２から情報処理装置１０へ送信
する（ステップＳ２２５）。
【００５５】
情報処理装置１０は情報処理端末６０から入力信号を受信すると（ステップＳ２１４）
、入力信号を解析して、端末情報および送信元の情報処理端末６０を判別する（ステップ
Ｓ２１５）、とともに入力信号を解析して処理内容を実行する（ステップＳ２１６）。
【００５６】
（第２の実施形態の変形例）
図８は第２の実施形態と第１の実施形態の機能を掛け合わせした、第２の実施形態の変
形例の流れ図である。即ち、第２の実施形態の変形例は第２の実施形態の異常状態の通知
の機能と、第１の実施形態の情報処理端末６０による情報処理装置１０の操作の機能を掛
け合わせしたものである。
【００５７】
ステップＳ３００乃至ステップＳ３０６は図５（ａ）のステップＳ２００乃至ステップ
Ｓ２０６と同様となる。
【００５８】
ただし、情報処理装置１０の異常を検出しなかった場合（ステップＳ３０１のＮＯ）、
情報処理システム１０１は情報処理端末６０から入力信号があったか判定し（ステップＳ
３０７）、入力信号がなかった場合（ステップＳ３０７のＮＯ）に情報処理装置１０の内
部状態の監視を継続する（ステップＳ３００）。
【００５９】
情報処理端末６０からの入力信号があった場合（ステップＳ３０７のＹＥＳ）、情報処
理装置１０は入力信号の端末情報を解析し、端末情報および送信元の情報処理端末６０を
判別する（ステップＳ３０８）。入力信号に付与された端末情報と自装置が有する端末情
報との整合がとれた場合に、情報処理端末６０から送信された入力信号の処理内容（対処
内容）を判定し、処理を実行する（ステップＳ３０９）。処理した結果、内部状態に基づ
く監視情報に自装置の識別情報を付与した情報を送信部１２から、情報処理端末６０に無
線にて送信する（ステップＳ３１０）。
【００６０】
情報処理端末６０は情報処理装置１０から内部状態に基づく監視情報を受信すると、当
該信号を解析して、識別情報および送信元の情報処理装置１０を判別し、表示部７０に処
理結果を表示する（ステップＳ３１１）。
【００６１】
図９は情報処理装置１０の使用例と情報処理端末６０の表示部７０の表示例の図である
。情報処理装置１０は産業用コンピュータなどでは外部筐体２００の中に設置される場合
があり、外部より直接視認できない場合がある。このような場合に本実施形態およびその
変形例では外部筐体２００を開閉せずに情報処理端末６０により情報処理装置１０の異常
状態に対して、確認、操作をすることが可能となる。
【００６２】
情報処理装置１０の送信部が無線ＬＡＮを使用している場合、無線ＬＡＮ拡張デバイス
１２１を情報処理装置１０に備え付けることにより、送信部１２による送信環境を補助す
ることができる。ただし、実施形態において無線ＬＡＮ拡張デバイス１２１が存していな
くても良い。
【００６３】
情報処理端末６０の表示部７０にて表示される入出力インターフェース８０は情報処理
装置１０にて異常状態が発生した場合の表示例である。異常の内容やエラーの情報、対策
案の提示がなされ、使用者は入出力インターフェース８０にてこれらの監視結果を確認し
、対策を入力することができる。ただし、情報処理端末６０の表示部７０の配置、入出力
インターフェース８０の表示は図９に限定されない。
【００６４】
以上の情報処理システム１０１および情報処理端末６０により、情報処理装置１０の異
常状態について、情報処理端末６０にて確認、対策をすることが可能となる。
【００６５】
（第３の実施形態）
第３の実施形態における情報処理システム１０２は情報処理装置が複数存在する場合の
各情報処理装置１０、２０・・・の状態監視、および異常状態の確認と対策を行うもので
ある。
【００６６】
図１０は第３の実施形態における情報処理装置１０、２０・・・および情報処理端末６
０の構成図である。情報処理装置２０は受信部２１と送信部２２と処理部２３とを有し、
これらは情報処理装置１０と同様の構成である。また、情報処理装置は２台に限定されな
い。
【００６７】
本実施形態では各情報処理装置（１０、２０）の状態を監視する場合、入力信号に各情
報処理装置の識別情報（機器ＩＤ番号、シリアル番号、ＩＰアドレス等）を付与する。例
えば、情報処理装置１０の識別情報（機器ＩＤ番号）を「ＡＢＣ０００１」とし、情報処
理装置２０の識別情報（機器ＩＤ番号）を「ＡＢＣ０００２」とする。情報処理装置１０
のみの状態を監視する場合は入力信号に「ＡＢＣ０００１」を付与し、情報処理装置１０
、２０の双方を監視する場合は入力信号に「ＡＢＣ０００１」「ＡＢＣ０００２」を付与
する。
【００６８】
情報処理装置１０、２０は情報処理端末６０からの入力信号を受信した場合、入力信号
に自装置の識別情報が付与されているかを判定し、付与されていれば入力信号の処理内容
を実行し、付与されていなければ入力信号の処理内容は実行しない。
【００６９】
各情報処理装置（１０、２０）のいずれかにて異常が検出された場合は、異常が検出さ
れた当該情報処理装置が監視結果を情報処理端末６０に送信する。
【００７０】
図１１は第３の実施形態の情報処理端末６０の表示部７０の表示例である。情報処理装
置について４台が情報処理端末６０に登録されている場合の表示例である。
【００７１】
１台目の情報処理装置（機器１、ＩＤ番号「ＡＢＣ０００１」）、３台目の情報処理装
置（機器３、ＩＤ番号「ＸＹＺ０００９」）にて異常が検出された場合に監視結果を表示
部７０の入出力インターフェース８０にて表示したものである。
【００７２】
監視結果に基づいて異常状態のレベルを「ＥＲＲＯＲ」、「ＷＡＲＮＩＮＧ」のように
判別しても良い。
【００７３】
使用者は１台目の情報処理装置（機器１）、３台目の情報処理装置（機器３）のタブ領
域に触れることで、監視結果（異常状態）を確認し、対策を入力することができる。
【００７４】
使用者は異常状態に無い２台目の情報処理装置（機器２）、４台目の情報処理装置（機
器４）のタブ領域に触れた場合は、監視結果（当該情報処理装置の内部状態）を確認する
ことができる。
【００７５】
以上の情報処理システムおよび情報処理端末により、情報処理装置の異常状態について
、情報処理端末にて確認、対策をすることが可能となる。
【００７６】
以上の実施形態において無線通信は例えば、無線ＬＡＮ、Ｂｌｕｅｔｏｏｔｈ（登録商
標）などがある。ただし、無線通信はこれらに限定されない。
【００７７】
本発明のいくつかの実施形態を説明したが、これらの実施形態は、例として提示したも
のであり、発明の範囲を限定することは意図していない。これら新規な実施形態は、その
ほかの様々な形態で実施されることが可能であり、発明の要旨を逸脱しない範囲で、種々
の省略、置き換え、変更を行うことができる。これら実施形態やその変形は、発明の範囲
や要旨に含まれるとともに、特許請求の範囲に記載された発明とその均等の範囲に含まれ
る。
【符号の説明】
【００７８】
１０、２０‥‥情報処理装置、
１１、２１‥‥（情報処理装置側）受信部、
１２、２２‥‥（情報処理装置側）送信部、
１３、２３‥‥処理部、
６０‥‥情報処理端末、
６１‥‥（情報処理端末側）受信部、
６２‥‥（情報処理端末側）送信部、
６３‥‥入力部、
６４‥‥制御部、
７０‥‥表示部、
８０‥‥入出力インターフェース、
９０‥‥外部機器、
９１‥‥モニタ、
９２‥‥キーボード、
９３‥‥マウス、
１００、１０１、１０２‥‥情報処理システム
１２１‥‥無線ＬＡＮ拡張デバイス
２００‥‥外部筐体。
【図１】
2018142117.tif 000005
【図２】
2018142117.tif 000006
【図３】
2018142117.tif 000007
【図４】
2018142117.tif 000008
【図５】
2018142117.tif 000009
【図６】
2018142117.tif 000010
【図７】
2018142117.tif 000011
【図８】
2018142117.tif 000012
【図９】
2018142117.tif 000013
【図１０】
2018142117.tif 000014
【図１１】
2018142117.tif 000015